(57)【要約】【課題】入力される差動信号に対してノイズの影響を与えないレーザドライバを提供する。【解決手段】レーザドライバ１は、差動信号が入力される入力バッファ１０と、入力バッファ１０から出力された差動信号の差を増幅することにより、その差動信号を電流による正相出力信号と逆相出力信号に変換する差動増幅器２０と、定電流を差動増幅器２０に供給して、差動増幅器２０の正相出力信号と逆相出力信号の差動成分を設定する変調電流源３０と、バイアス電流を半導体レーザ９９に供給するバイアス電流源５０と、差動信号が入力されている場合に変調電流源３０やバイアス電流源５０の電流をオンにし、差動信号が入力されていない場合に変調電流源３０やバイアス電流源５０の電流をオフにする入力信号監視回路６０と、を備える。【選択図】図１
2008034460.tif 000002
【特許請求の範囲】
【請求項１】
入力される差動信号に従って光半導体素子を駆動するレーザドライバにおいて、
電流を供給する電流源と、
差動信号が入力されている場合に前記電流源の電流をオンにし、差動信号が入力されていない場合に前記電流源の電流をオフにする入力信号監視回路と、を備えることを特徴とするレーザドライバ。
【請求項２】
入力される差動信号に従って光半導体素子を駆動するレーザドライバにおいて、
電流を供給する電流源と、
差動信号が入力されている場合に前記電流源の電源をオンにし、差動信号が入力されない状態が所定時間保たれた場合に前記電流源の電流をオフする入力信号監視回路と、を備えることを特徴とするレーザドライバ。
【請求項３】
前記電流源が、前記光半導体素子にバイアス電流を供給するバイアス電流源であることを特徴とする請求項１又は２に記載のレーザドライバ。
【請求項４】
入力される差動信号の差を増幅することによりその差動信号を電流による正相出力信号と逆相出力信号に変換し、その正相出力信号の電流を前記光半導体素子に供給する差動増幅器を更に備え、
前記電流源が、前記差動増幅器に電流を供給し、前記差動増幅器の正相出力信号と逆相出力信号の差を設定する変調電流源であることを特徴とする請求項１又は２に記載のレーザドライバ。
【請求項５】
入力される差動信号の差を増幅することによりその差動信号を電流による正相出力信号と逆相出力信号に変換し、その正相出力信号の電流を前記光半導体素子に供給する差動増幅器を更に備え、
前記光半導体素子にバイアス電流を供給するバイアス電流源と、前記差動増幅器に電流を供給し、前記差動増幅器の正相出力信号と逆相出力信号の差を設定する変調電流源と、を前記電流源として備え、
前記バイアス電流源の電流と前記差動増幅器の正相出力信号の電流とを重畳して前記光半導体素子に供給することを特徴とする請求項１又は２に記載のレーザドライバ。
【発明の詳細な説明】
【技術分野】
【０００１】
本発明は、入力される差動信号に従って光半導体素子を駆動するレーザドライバに関する。
【背景技術】
【０００２】
半導体レーザは電気信号を光信号に変換する素子であり、小型、低消費電力、長寿命、高速変調性等の特性を有し、光エレクトロニクスの分野で広く利用されている。半導体レーザの特性として閾値電流が存在し、閾値電流よりも小さい電流を半導体レーザに供給しても半導体レーザが発光しない。そのため、半導体レーザを駆動するに際して半導体レーザを高速変調させるために、半導体レーザに予めバイアス電流を供給しておき、入力される差動信号の電圧を変調電流に変換し、その変調電流をバイアス電流に重畳して半導体レーザに供給する。そのように半導体レーザを駆動するレーザドライバとして例えば非特許文献１に記載されたものがある。このレーザドライバにおいては、変調電流の変調レベル（振幅）やバイアス電流のレベルが抵抗によって設定され、レーザドライバには差動信号のほかディスエイブル信号（TX_DISABLE）が外部から入力される。このディスエイブル信号はレーザドライバの動作を止めるものであり、ディスエイブル信号がハイの場合にはレーザドライバから半導体レーザへの出力が能動状態（オン状態）になり、ディスエイブル信号がローの場合、レーザドライバから半導体レーザへの出力が静止状態（オフ状態）になる。
【非特許文献１】3.2Gps SFP VCSEL Driver with Diagnostic Monitors. 19-3118; Rev 2; 5/06. Datasheet. [online]. Maxim Integrated Products, Inc., 2006. [retrieved on 2006-06-28]. Retrieved from the Internet: <URL: http://pdfserv.maxim-ic.com/en/ds/MAX3740A.pdf>
【発明の開示】
【発明が解決しようとする課題】
【０００３】
ディスエイブル信号には一般的にＴＴＬ、ＣＭＯＳ等の汎用ロジックが用いられるが、汎用ロジックを用いたディスエイブル信号の放射ノイズが差動信号と比較して大きいため、ディスエイブル信号用ラインを差動信号用ラインから離すように配線したり、多層基板におけるディスエイブル信号用ラインの層と差動信号用ラインの層を別にしたりしなければならない。ディスエイブル信号用ラインを差動信号用ラインから離すように配線するためには、配線領域を大きく確保しなければならないので、レーザドライバ等を小型化することができない。また、ディスエイブル信号用ラインと差動信号用ラインを別層に作った場合、ビアホールを多層基板に設ける必要があり、ビアホールの寄生容量によって信号にノイズ・遅延等が生じ、ビアホールの影響を考慮した高度な設計を行わなければならない。
【０００４】
そこで、本発明は、入力される差動信号に対してノイズの影響を与えないレーザドライバを提供することを目的とする。
【課題を解決するための手段】
【０００５】
上記課題を解決するため、請求項１に係る発明は、
入力される差動信号に従って光半導体素子を駆動するレーザドライバにおいて、
電流を供給する電流源と、
差動信号が入力されている場合に前記電流源の電流をオンにし、差動信号が入力されていない場合に前記電流源の電流をオフにする入力信号監視回路と、を備えることを特徴とする。
【０００６】
請求項２に係る発明は、
入力される差動信号に従って光半導体素子を駆動するレーザドライバにおいて、
電流を供給する電流源と、
差動信号が入力されている場合に前記電流源の電源をオンにし、差動信号が入力されない状態が所定時間保たれた場合に前記電流源の電流をオフする入力信号監視回路と、を備えることを特徴とする。
【０００７】
請求項３に係る発明は、請求項１又は２に記載のレーザドライバにおいて、
前記電流源が、前記光半導体素子にバイアス電流を供給するバイアス電流源であることを特徴とする。
【０００８】
請求項４に係る発明は、請求項１又は２に記載のレーザドライバにおいて、
入力される差動信号の差を増幅することによりその差動信号を電流による正相出力信号と逆相出力信号に変換し、その正相出力信号の電流を前記光半導体素子に供給する差動増幅器を更に備え、
前記電流源が、前記差動増幅器に電流を供給し、前記差動増幅器の正相出力信号と逆相出力信号の差を設定する変調電流源であることを特徴とする。
【０００９】
請求項５に係る発明は、請求項１又は２に記載のレーザドライバにおいて、
入力される差動信号の差を増幅することによりその差動信号を電流による正相出力信号と逆相出力信号に変換し、その正相出力信号の電流を前記光半導体素子に供給する差動増幅器を更に備え、
前記光半導体素子にバイアス電流を供給するバイアス電流源と、前記差動増幅器に電流を供給し、前記差動増幅器の正相出力信号と逆相出力信号の差を設定する変調電流源と、を前記電流源として備え、
前記バイアス電流源の電流と前記差動増幅器の正相出力信号の電流とを重畳して前記光半導体素子に供給することを特徴とする。
【発明の効果】
【００１０】
本発明においては、レーザドライバにディスエイブル信号が入力されるのではなく、光半導体素子を駆動するために用いられる差動信号を入力信号監視回路で監視し、差動信号が入力されているか否かに応じて、電流源の電流をオン・オフするので、放射ノイズの高いディスエイブル信号をレーザドライバに入力する必要がない。そのため、入力される差動信号がノイズの影響を受けない。
【００１１】
また、ディスエイブル信号用の配線を必要とせず、配線数が減少する。そのため、レーザドライバの小型化ができる上、回路設計の自由度が向上し、更に、ビアホールの影響を考慮した高度な設計も必要としない。
【発明を実施するための最良の形態】
【００１２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１は、光通信システムを示した図である。図１に示すように、光通信システムは、パラレル／シリアル変換器１０１、レーザドライバ１、半導体レーザ９９、伝送媒体１０２、フォトディテクタ１０３、アンプ１０４及びシリアル／パラレル変換器１０５を有する。
【００１４】
パラレル／シリアル変換器１０１はシリアライザ（Serializer）・デシリアライザ（Deserializer）であり、入力されるパラレル信号をシリアル信号に変換する。パラレル／シリアル変換器１０１からレーザドライバ１に入力されるシリアル信号は差動信号であり、その差動信号は、電圧による正相入力信号（Ｄａｔａ＋）と、その正相入力信号に対して反転した逆相入力信号（Ｄａｔａ−）と、を含む。図３に示すように、正相入力信号と逆相入力信号の同相成分がゼロ〔Ｖ〕ではなく、レーザドライバ１に入力される正相入力信号及び逆相入力信号には同相電圧が重畳された状態であり、正相入力信号及び逆相入力信号が同相電圧を中心にして振動する。
【００１５】
図１に示すように、レーザドライバ１は、パラレル／シリアル変換器１０１から入力される差動信号に従って半導体レーザ９９を駆動するものである。つまり、レーザドライバ１は、電圧による差動信号を電流による信号に変換し、その電流による信号を半導体レーザ９９に出力することにより半導体レーザ９９を駆動する。半導体レーザ９９がレーザドライバ１からの信号に従って点滅し、これにより電気信号が光信号に変換される。伝送媒体１０２は光ファイバ、平面導波路装置といったものであり、半導体レーザ９９から発した光をフォトディテクタ１０３に伝播させることで、光信号を半導体レーザ９９からフォトディテクタ１０３に伝送する。フォトディテクタ１０３は、伝送媒体１０２から受光した光の強度に従った電流又は電圧を発生させることによって、伝送媒体１０２を通じて送られた光信号を電気信号に変換する。アンプ１０４は、フォトディテクタ１０３によって変換された電気信号を増幅するとともにその信号をデジタル変換する。シリアル／パラレル変換器１０５は、シリアライザ・デシリアライザであり、アンプ１０４によってデジタル変換された信号をパラレル信号に変換する。
【００１６】
図２は、本発明を適用した実施形態におけるレーザドライバ１を示した回路図である。
レーザドライバ１は、正相入力信号（Ｄａｔａ＋）用の入力端子と逆相入力信号（Ｄａｔａ−）用の入力端子とを有した差動入力型の入力バッファ１０と、入力バッファ１０から出力された差動信号（正相信号と逆相信号）の差を増幅することにより、その差動信号を電流による正相出力信号（Ｏｕｔ＋）と逆相出力信号（Ｏｕｔ−）に変換する差動増幅器２０と、定電流を差動増幅器２０に供給して、差動増幅器２０の正相出力信号と逆相出力信号の差動成分（振幅）を設定する変調電流源３０と、差動増幅器２０の出力と半導体レーザ９９との間に介在した接続回路４０と、バイアス電流を半導体レーザ９９に供給するバイアス電流源５０と、正相入力信号及び逆相入力信号の入力状態を監視し、正相入力信号及び逆相入力信号の入力状態に応じたオン・オフ信号を出力する入力信号監視回路６０と、入力信号監視回路６０のオン・オフ信号に従って変調電流源３０の電流をオン・オフするスイッチ７０と、入力信号監視回路６０のオン・オフ信号に従ってバイアス電流源５０の電流をオン・オフするスイッチ８０と、を備える。これらの構成のうち、入力バッファ１０、差動増幅器２０、変調電流源３０、バイアス電流源５０、入力信号監視回路６０、スイッチ７０及びスイッチ８０は１つのチップに集積されている。
【００１７】
入力バッファ１０は、入力される正相入力信号及び逆相入力信号の波形を整形し、逆相信号と正相信号を生成する。
【００１８】
差動増幅器２０は、差動対を成すバイポーラ型のトランジスタＴｒ１，Ｔｒ２と、トランジスタＴｒ１のコレクタと供給電圧源Ｖｃｃとの間に接続された抵抗Ｒ１と、トランジスタＴｒ２のコレクタと供給電圧源Ｖｃｃとの間に接続された抵抗Ｒ２と、を備える。トランジスタＴｒ１のベースには、入力バッファ１０で生成された正相信号が入力され、トランジスタＴｒ２のベースには、入力バッファ１０で生成された逆相信号が入力される。なお、入力バッファ１０がなく、正相入力信号（Ｄａｔａ＋）がトランジスタＴｒ１のベースに直接入力され、逆相入力信号（Ｄａｔａ−）がトランジスタＴｒ２のベースに直接入力されても良い。
【００１９】
トランジスタＴｒ１，Ｔｒ２のエミッタは変調電流源３０に接続され、変調電流源３０とグランドとの間にスイッチ７０が接続されている。トランジスタＴｒ１，Ｔｒ２のエミッタ電流の和が変調電流源３０によって一定にされている。なお、変調電流源３０が温度補償機能を有し、変調電流源３０によって差動増幅器２０に供給される電流が温度に従って調整されても良い。
【００２０】
トランジスタＴｒ１のコレクタと抵抗Ｒ１の間が差動増幅器２０の逆相出力端子とされ、トランジスタＴｒ２のコレクタと抵抗Ｒ２の間が差動増幅器２０の正相出力端子とされている。変調電流源３０によって定電流が差動増幅器２０に供給されているので、信号が電圧から電流に変換され、電圧による正相信号と逆相信号の差が差動増幅器２０によって増幅されて、電流による正相出力信号（Ｏｕｔ＋）及び逆相出力信号（Ｏｕｔ−）が出力される。
【００２１】
なお、トランジスタＴｒ１，Ｔｒ２がバイポーラ型のトランジスタでなく、電界効果型のトランジスタであっても良い。トランジスタＴｒ１，Ｔｒ２が電界効果型トランジスタである場合、トランジスタＴｒ１のドレインとソースのうちの一方が抵抗Ｒ１に接続され、他方が変調電流源３０に接続され、トランジスタＴｒ２のドレインとソースのうちの一方が抵抗Ｒ２に接続され、他方が変調電流源３０に接続され、正相信号がトランジスタＴｒ１のゲートに入力され、逆相信号がトランジスタＴｒ２のゲートに入力される。
【００２２】
接続回路４０は、カップリングコンデンサＣ１，Ｃ２、整合抵抗Ｒ３，Ｒ４及び整合コンデンサＣ３を備える。カップリングコンデンサＣ１と整合抵抗Ｒ３が、差動増幅器２０の逆相出力端子とグランドとの間で直列接続されている。カップリングコンデンサＣ２と整合コンデンサＣ３と整合抵抗Ｒ４が差動増幅器２０の正相出力端子とグランドとの間で直列接続されている。
【００２３】
差動増幅器２０の正相出力端子と半導体レーザ９９のアノードとの間にカップリングコンデンサＣ２が介在し、半導体レーザ９９のカソードが接地されている。半導体レーザ９９のアノードとバイアス電流源５０との間には、スイッチ８０とコイルＬ１が直列接続されている。バイアス電流源５０には定電圧源９０の正極に接続され、定電圧源９０の負極が接地されている。
【００２４】
バイアス電流源５０によってバイアス電流が半導体レーザ９９に供給される。半導体レーザ９９には、その性質上、閾値電流が存在し、半導体レーザ９９にバイアス電流が供給されても、半導体レーザ９９が発光しない。つまり、バイアス電流源５０によって供給されるバイアス電流のレベルは閾値電流のレベル以上である。
【００２５】
また、差動増幅器２０の正相出力信号が半導体レーザ９９に入力され、正相出力信号に係る電流とバイアス電流が重畳されて、半導体レーザ９９に供給される。ここで、図３のタイミングチャートに示すように、正相入力信号がオフ（ロー）からオン（ハイ）になると、半導体レーザ９９が発光し、半導体レーザ９９の光信号がオフからオンになり、正相入力信号がオンからオフになると、半導体レーザ９９が消灯し、半導体レーザ９９の光信号がオンからオフになる。
【００２６】
なお、バイアス電流源５０が自動パワーコントロール機能を有しても良い。つまり、半導体レーザ９９の光を受光素子で受光し、半導体レーザ９９の強度を表す強度信号を受光素子からバイアス電流源５０にフィードバックし、その強度信号に基づいたバイアス電流がバイアス電流源５０によって供給されても良い。
【００２７】
入力信号監視回路６０について説明する。
入力信号監視回路６０は、差動信号が入力されている場合にスイッチ７０，８０をオンにして、変調電流源３０及びバイアス電流源５０の電流をオンにする。一方、入力信号監視回路６０は、差動信号が入力されていない場合にスイッチ７０，８０をオフにして、変調電流源３０及びバイアス電流源５０の電流をオフにする。
【００２８】
具体的には、図４に示すように、入力信号監視回路６０はＮＯＲ回路６１から構成されている。ＮＯＲ回路６１の一方の入力端子が入力バッファ１０の正相入力信号用入力端子に接続され、その一方の入力端子に正相信号入力信号が入力される。ＮＯＲ回路６１の他方の入力端子が入力バッファ１０の逆相入力信号用入力端子に接続され、その他方の入力端子に逆相信号入力信号が入力され、ＮＯＲ回路６１の出力端子がスイッチ７０，８０に接続されている。
【００２９】
図３に示すように、差動信号が入力されている場合には、逆相入力信号が正相入力信号に対して反転しているため、正相入力信号と逆相入力信号の極性が同じになることはなく、ＮＯＲ回路６１の出力Ｔがローであり、スイッチ７０，８０がオン状態であり、変調電流源３０及びバイアス電流源５０の電流が流れる。このように差動信号が入力される時に変調電流源３０とバイアス電流源５０の電流を能動状態にすることによって、半導体レーザ９９が駆動される。
【００３０】
一方、差動信号が入力されない場合には、ＮＯＲ回路６１の両方の入力が共にローとなり、ＮＯＲ回路６１の出力Ｔがハイであり、スイッチ７０，８０がオフ状態であり、変調電流源３０及びバイアス電流源５０の電流が流れない。このように差動信号が入力されない時に変調電流源３０とバイアス電流源５０の電流を静止状態にすることによって、半導体レーザ９９が駆動されず、レーザドライバ１の消費電力を抑えることができる。
【００３１】
以上のように、差動信号を入力信号監視回路６０で監視し、差動信号が入力されているか否かに応じて、変調電流源３０やバイアス電流源５０の電流をオン・オフするので、放射ノイズの高いディスエイブル信号をレーザドライバ１に入力する必要がない。そのため、入力される差動信号が放射ノイズの影響を受けない。
【００３２】
また、入力信号監視回路６０がレーザドライバ１のチップに内蔵され、入力信号監視回路６０によって変調電流源３０やバイアス電流源５０の電流のオン・オフが行われるので、変調電流源３０やバイアス電流源５０の電流のオン・オフの切替が高速に行われる。
【００３３】
また、ディスエイブル信号用の配線を必要とせず、配線数を抑えることができる。そのため、レーザドライバ１の小型化ができる上、回路設計の自由度が向上し、更に、ビアホールの影響を考慮した高度な設計も必要としない。
【００３４】
＜変形例１＞
変形例１においては、図４に示された入力信号監視回路６０に代えて、図５に示された入力信号監視回路を用いている。図５に示された入力信号監視回路は２つのコンパレータ６２，６３とＮＯＲ回路６４から構成されている。コンパレータ６２の非反転入力端子が入力バッファ１０の正相入力信号用入力端子に接続され、コンパレータ６３の非反転入力端子が入力バッファ１０の逆相入力信号用入力端子に接続されている。両方のコンパレータ６２，６３の反転入力端子が電圧源を介してグランドに接続され、所定レベルの電圧（ゼロ〔Ｖ〕以上、正相入力信号と逆相入力信号の同相電圧以下）がコンパレータ６２，６３の反転入力端子に印加されている。
【００３５】
コンパレータ６２は、正相入力信号のレベルを所定レベルと比較し、正相入力信号のレベルが所定レベルより高い場合には、ＮＯＲ回路６４への出力がハイになり、正相入力信号のレベルが所定レベルより高い場合には、ＮＯＲ回路６４への出力がローになる。コンパレータ６３も、同様に、逆相入力信号のレベルを所定レベルと比較する。
【００３６】
図６に示すように、差動信号が入力されている場合には、逆相入力信号と正相入力信号の同相電圧が所定レベルの電圧以下になることはないので、コンパレータ６２，６３の出力が共にハイであり、ＮＯＲ回路６４の出力Ｔがハイであり、スイッチ７０，８０がオン状態であり、変調電流源３０及びバイアス電流源５０の電流が流れる。
【００３７】
一方、差動信号が入力されない場合には、逆相入力信号と正相入力信号の同相電圧が所定レベルの電圧を下まわるので、コンパレータ６２，６３の出力が共にローであり、ＮＯＲ回路６４の出力Ｔがローであり、スイッチ７０，８０がオフ状態であり、変調電流源３０及びバイアス電流源５０の電流が流れない。
【００３８】
変形例１においても、差動信号が入力されているか否かに応じて、変調電流源３０やバイアス電流源５０の電流をオン・オフするので、放射ノイズの高いディスエイブル信号をレーザドライバ１に入力する必要がなく、差動信号が放射ノイズの影響を受けない。
【００３９】
＜変形例２＞
図４、図５に示された入力信号監視回路は、差動信号が入力された場合に、変調電流源３０及びバイアス電流源５０の電流をオンにし、差動信号が入力されなくなった場合に、変調電流源３０及びバイアス電流源５０の電流をオフにするものである。
【００４０】
それに対して、変形例２においては、差動信号が入力信号監視回路に入力されている場合には、変調電流源３０及びバイアス電流源５０の電流が入力信号監視回路によってオンにされるのは同様であるが、差動信号が入力信号監視回路に入力されなくなった場合には、差動信号が入力されなくなった時から所定時間（図８において「スリープ判定時間」と示す。）経過したら変調電流源３０及びバイアス電流源５０の電流が入力信号監視回路によってオフにされる。差動信号が入力されなくなった時から所定時間経過する前に再び差動信号が入力信号監視回路に入力されたら、その所定時間の計時がリセットされ、変調電流源３０及びバイアス電流源５０の電流をオンに保つ。このような入力信号監視回路は図７のように構成されている。
【００４１】
図７に示した入力信号監視回路は、抵抗Ｒ６１〜抵抗Ｒ６４及びオペアンプ６５から構成された減算器６６と、ウォッチドック回路６７とを有する。減算器６６の非反転入力側の入力端子に正相入力信号が入力され、減算器６６の反転入力側の入力端子に逆相入力信号が入力され、正相入力信号と逆相入力信号の差が減算器６６によって増幅されて、ウォッチドック回路６７のリセット入力端子に入力される。
【００４２】
ウォッチドック回路６７は、減算器６６から入力される信号がハイからロー（又はその逆）に切り替わる時に計時を開始する。また、ウォッチドック回路６７は、その計時時間が所定時間（図８において「スリープ判定時間」と示す。）になる前に減算器６６から入力される信号が次にハイからロー（又はその逆）に切り替わった時に計時をリセットして再び計時を開始する。ウォッチドック回路６７の出力Ｔは計時中においてローである。一方、ウォッチドック回路６７は、その計時時間が所定時間になったら計時を終了して出力Ｔをハイにする。ウォッチドック回路６７の出力Ｔがハイである状態において、減算器６６から入力される信号がハイからロー（又はその逆）に切り替わると、ウォッチドック回路６７が計時を開始する。
【００４３】
ここで、図８に示すように、差動信号が入力されている場合には、減算器６６から入力される信号が振動してウォッチドック回路６７の計時がリセットされるので、ウォッチドック回路６７の出力Ｔがローであり、スイッチ７０，８０がオン状態であり、変調電流源３０及びバイアス電流源５０の電流がオンである。差動信号が入力されない場合には、減算器６６から入力される信号が振動してウォッチドック回路６７の計時がリセットされない。このとき、差動信号が入力されなくなった時から所定時間経過すると、ウォッチドック回路６７の出力Ｔがハイになり、スイッチ７０，８０がオフになり、変調電流源３０及びバイアス電流源５０の電流が止まる。その後、差動信号が入力されるまで、ウォッチドック回路６７の出力Ｔがハイに保たれ、スイッチ７０，８０がオフ状態であり、変調電流源３０及びバイアス電流源５０の電流がオフである。そして、差動信号が入力される時に、ウォッチドック回路６７の出力Ｔがローになり、スイッチ７０，８０がオンになり、変調電流源３０及びバイアス電流源５０の電流がオンになる。
【００４４】
変形例２においても、差動信号が入力状態に応じて、変調電流源３０やバイアス電流源５０の電流をオン・オフするので、放射ノイズの高いディスエイブル信号をレーザドライバ１に入力する必要がなく、差動信号が放射ノイズの影響を受けない。
【００４５】
なお、本発明は上記実施形態や変形例に限定されることなく、本発明の主旨を逸脱しない範囲において種々の改良及び設計の変更をおこなっても良い。
入力信号監視回路の出力Ｔを図３、図６、図８に示すような場合に対して反転させても良い。この場合、スイッチ７０，８０のオン・オフ動作も反転させる必要がある。
上記実施形態や変形例では、入力バッファ１０に入力される差動信号が入力信号監視回路に入力されていたが、入力バッファ１０から出力される差動信号が入力されても良い。
また、上記実施形態では半導体レーザ９９を用いたが、発光ダイオードといったその他の光半導体素子を用いても良い。
また、上記実施形態ではレーザドライバ１と半導体レーザ９９との結合がＡＣ結合であるものとして、接続回路４０にカップリングコンデンサＣ１，Ｃ２が設けられているが、レーザドライバ１と半導体レーザ９９との結合がＤＣ結合である場合には、差動増幅器２０の逆相出力端子とグランドとの間にはカップリングコンデンサＣ１を用いずに整合抵抗Ｒ３を介在させるとともに、差動増幅器２０の正相出力端子とグランドとの間にはカップリングコンデンサＣ２を用いずに整合コンデンサＣ３と整合抵抗Ｒ４を介在させる。ＡＣ結合においては、正相出力信号（Ｏｕｔ＋）の電流が交流であり、正相出力信号の最大値と最小値の正負が逆である。一方、ＤＣ結合においては、正相出力信号（Ｏｕｔ＋）の電流が直流であり、正相出力信号の最大値と最小値の正負が同じである。
【図面の簡単な説明】
【００４６】
【図１】光通信システムを示したブロック図である。
【図２】レーザドライバの構成を示した回路図である。
【図３】差動信号、消費電流、出力信号、入力信号監視回路の出力のタイミングチャートである。
【図４】入力信号監視回路の構成を示した回路図である。
【図５】変形例における入力信号監視回路の構成を示した回路図である。
【図６】図５の変形例において差動信号、消費電流、出力信号、入力信号監視回路の出力のタイミングチャートである。
【図７】別の変形例における入力信号監視回路の構成を示した回路図である。
【図８】図７の変形例において差動信号、消費電流、出力信号、入力信号監視回路の出力のタイミングチャートである。
【符号の説明】
【００４７】
１  レーザドライバ
２０  差動増幅器
３０  変調電流源
５０  バイアス電流源
６０  入力信号監視回路
６１、６４  ＮＯＲ回路
６２、６３  コンパレータ
６６  減算器
６７  ウォッチドック回路
７０  スイッチ
８０  スイッチ
９９  半導体レーザ
【図１】
2008034460.tif 000003
【図２】
2008034460.tif 000004
【図３】
2008034460.tif 000005
【図４】
2008034460.tif 000006
【図５】
2008034460.tif 000007
【図６】
2008034460.tif 000008
【図７】
2008034460.tif 000009
【図８】
2008034460.tif 000010